(57)【要約】【課題】ケースから繰出されたテープをバネに蓄えられた弾性エネルギにより自動的にケース内に巻取って格納する巻尺において、そのテープを弾性エネルギに抗して固定する機構を有し、小型に構成することができ、操作性・耐久性も向上させることができる巻尺を提供する。【解決手段】巻尺１０は、ロック機構２２を備えており、ロック機構２２は、巻取られたテープ１４の外側輪郭に沿って設けられた円弧状のガイドと、ガイドに案内されて外側輪郭に沿って円弧軌跡上を移動可能なレバー２４と、レバー２４に連動して移動可能で巻取られているテープの外周面に磁力により常時接触するストッパ２６と、を有し、ケース１２の外部からレバー２４の移動を操作可能となっている。【選択図】図２
2013108869.tif 000002
【特許請求の範囲】
【請求項１】
ケース内に巻取り可能で且つケースの開口から繰出し可能となったテープを有し、ケース内に設けられたバネに蓄えられる弾性エネルギによって、繰出されたテープをケース内に巻取り可能となっている一方で、繰出されたテープを弾性エネルギに抗して固定するロック機構を有する巻尺において、
前記ロック機構は、巻取られた前記テープの外側輪郭に沿って設けられたガイドと、該ガイドに案内されて前記外側輪郭に沿って移動可能なレバーと、レバーに連動して移動可能で巻取られているテープの外周面に磁力により常時接触するストッパと、を有し、ケースの外部からレバーの移動を操作可能となっており、
テープの巻取り方向への移動により、ストッパは巻取られているテープの外周面に誘導されて、巻取られているテープの外周面と該外周面からケースの開口まで接線方向に延びるテープとの間に挿入されてテープの移動を規制する規制位置に移動すると共に、テープの繰出し方向への移動により、ストッパは巻取られているテープの外周面に誘導されて、テープの移動を許容する許容位置に移動するようになっており、さらにケースの外部からストッパがテープの前記規制位置から前記許容位置に移動するようにレバーを操作可能であることを特徴とする巻尺。
【請求項２】
ストッパは磁石を備えており、テープの外周面に磁力により係合可能であることを特徴とする請求項１記載の巻尺。
【請求項３】
ストッパは摩擦力を発生する材質で構成されており、テープの外周面に摩擦力により係合可能であることを特徴とする請求項１又は２記載の巻尺。
【請求項４】
ストッパは楔型の形状を有することを特徴とする請求項１ないし３のいずれか１項記載の巻尺。
【請求項５】
ストッパは巻取られるテープの直径方向に揺動可能にレバーの一端にヒンジ結合されていることを特徴とする請求項１ないし４のいずれか１項記載の巻尺。
【発明の詳細な説明】
【技術分野】
【０００１】
ケースから繰出されたテープをバネに蓄えられた弾性エネルギにより自動的にケース内に巻取って格納する巻尺において、繰出されたテープを弾性エネルギに抗して固定する機構を有する巻尺に関する。
【背景技術】
【０００２】
従来のこの種の巻尺としては、特許文献１に記載されたものが知られている。これに示されるものは、バネに結合されたテープがボビンにコイル状に巻かれてハウジングに内蔵され、ハウジングの外部へのテープ引き出しのためのタブがハウジングの一側下端部のスロットを介して外部に露出するように構成されたものであり、テープを弾性エネルギに抗して固定するテープ固定装置をさらに備えている。すなわち、ハウジングの一側上端にロッキングレバーが前後回動可能にヒンジ結合によって取り付けられ、ロッキングレバーから下方に延長された連結片の端部側に、外周面にコイルバネを有するシリンダが結合され、さらにシリンダの一端部には摩擦力の高い楔状のストッパが取り付けられており、ストッパはコイルバネによって常に弾性力が与えられている。この弾性力により、ストッパは、ボビンに巻き取られたテープの外周面とスロットを介して引き出される直線状のテープとの間に挿入するように付勢され、ストッパ面が引き出されるテープ面に密着するので、これらの摩擦によって、ハウジングから引き出されたテープが自動的に停止するように構成されている。また、ロッキングレバーを押圧することによって、ストッパが弾性力に抗してテープ面から離反するので、ハウジングから引き出されたテープをハウジング内に巻き取ることが可能となっている。
【先行技術文献】
【特許文献】
【０００３】
【特許文献１】特表２００５−５１６２０４号公報
【発明の概要】
【発明が解決しようとする課題】
【０００４】
しかしながら、前記従来の巻尺では、ストッパがコイルバネによって常に弾性力が与えられてテープ面に密着する構成となっているために、コイルバネによる弾性力をテープ面に対して直交する方向に作用させる関係上、コイルバネを配するスペースが嵩張り、全体的に大型化せざるを得ないという課題がある。
【０００５】
また、ストッパがコイルバネによって常に弾性力が与えられてテープ面に密着しているため、テープを引き出す際の抵抗が大きく、操作性が悪いという課題がある。
【０００６】
また、使用によりコイルバネに劣化が生じ、所望の弾性力が得られず、ストッパの効きが悪くなるという耐久性の課題もある。
【０００７】
本発明はかかる課題に鑑みなされたもので、小型に構成することができ、操作性・耐久性も向上させることができる巻尺を提供することをその目的とする。
【課題を解決するための手段】
【０００８】
前述した目的を達成するために、請求項１記載の発明は、ケース内に巻取り可能で且つケースの開口から繰出し可能となったテープを有し、ケース内に設けられたバネに蓄えられる弾性エネルギによって、繰出されたテープをケース内に巻取り可能となっている一方で、繰出されたテープを弾性エネルギに抗して固定するロック機構を有する巻尺において、
前記ロック機構は、巻取られた前記テープの外側輪郭に沿って設けられたガイドと、該ガイドに案内されて前記外側輪郭に沿って移動可能なレバーと、レバーに連動して移動可能で巻取られているテープの外周面に磁力により常時接触するストッパと、を有し、ケースの外部からレバーの移動を操作可能となっており、
テープの巻取り方向への移動により、ストッパは巻取られているテープの外周面に誘導されて、巻取られているテープの外周面と該外周面からケースの開口まで接線方向に延びるテープとの間に挿入されてテープの移動を規制する規制位置に移動すると共に、テープの繰出し方向への移動により、ストッパは巻取られているテープの外周面に誘導されて、テープの移動を許容する許容位置に移動するようになっており、さらに、ケースの外部からストッパがテープの前記規制位置から前記許容位置に移動するようにレバーを操作可能であることを特徴とする。
【０００９】
請求項２記載の発明は、請求項１記載の発明において、ストッパは磁石を備えており、テープの外周面に磁力により係合可能であることを特徴とする。
【００１０】
請求項３記載の発明は、請求項１又は２記載の発明において、ストッパは摩擦力を発生する材質で構成されており、テープの外周面に摩擦力により係合可能であることを特徴とする。
【００１１】
請求項４記載の発明は、請求項１ないし３のいずれか１項記載の発明において、ストッパは楔型の形状を有することを特徴とする。
【００１２】
請求項５記載の発明は、請求項１ないし４のいずれか１項記載の発明において、ストッパは巻取られるテープの直径方向に揺動可能にレバーの一端にヒンジ結合されていることを特徴とする。
【発明の効果】
【００１３】
本発明によれば、巻取られたテープの外側輪郭に沿って設けられたガイドにレバーが案内されて該外側輪郭に沿って移動することで、ストッパがテープの移動を規制する規制位置とテープの移動を許容する許容位置とに移動することができるようになっており、レバー及びストッパの移動経路を嵩張らないように構成することができるために、全体的に小型に構成することができる。
【００１４】
また、テープの外周面に磁力により常時接触するストッパの移動をテープの移動または外部からの操作によって制御するために、ストッパに弾性力を付与するための追加的なバネといった部材を不要とすることができ、操作性を向上させ、耐久性も向上させることができる。
【図面の簡単な説明】
【００１５】
【図１】本発明による第１の実施形態の巻尺の内部構造を表す断面図であり、テープが最後まで巻取られた状態を示す。
【図２】本発明による第１の実施形態の巻尺の内部構造を表す面図であり、テープが繰出されている状態を示す。
【図３】本発明による第１の実施形態の巻尺の内部構造を表す断面図であり、繰出されたテープを固定した状態を示す。
【図４】本発明による第１の実施形態の巻尺の内部構造を表す断面図であり、テープを最後まで繰出した状態を示す。
【図５】第１の実施形態の巻尺の分解斜視図である。
【図６】第１の実施形態のレバーの側面図である。
【図７】レバーのストッパ部分の平面図である。
【図８】本発明の第２の実施形態のレバーの側面図である。
【発明を実施するための形態】
【００１６】
（第１の実施形態）
図１ないし図７を参照して、本発明の好適な実施の形態について詳細に説明する。また、本発明は、この実施の形態に限定されるものではなく、種々の改変が可能である。
【００１７】
本発明の第１の実施形態が適用される巻尺１０は、互いに嵌合する半部分１２ａ，１２ｂからなるケース１２を備える（図５）。ケース１２の外形形状は、図３に示したように、少なくとも上部分が側方から見て円弧形状をなしている。尚、図１において、説明の便宜上、紙面の上下方向をケース１２の上下方向とし、テープ１４が繰出される方向を前側とする。
【００１８】
ケース１２の内部には、長尺物である測定用目盛の付されたテープ１４を含む主な構成部品が配置されており、ケース１２内で、テープ１４は巻枠１８の巻ドラム１８ａに巻き取られて収容される。巻枠１８の巻ドラム１８ａの内部には、内端がケース１２に固定された渦巻バネ１６が配設されており、渦巻バネ１６の外端が巻ドラム１８ａの周面の一部に形成されたスロットを通過可能となってテープ１４の内端に連結される。渦巻バネ１６に蓄えられた弾性エネルギによって、テープ１４は常時、巻ドラム１８ａに巻取られるように付勢されている。
【００１９】
巻取られたテープ１４は、その外周面から接線方向に延びて、テープ１４の外端１４ａがケース１２の前側下端部に形成された開口１２ｃを通過して外部に出ており、外端１４ａにはフック部２０が取り付けられている。ケース１２の開口１２ｃには、テープ１４の形状に沿った形状の受面を備えた受部材１３が嵌め込まれており、テープ１４が最後まで巻取られたときに、フック部２０が受部材１３に当接してテープ１４のそれ以上の巻取りが規制される。
【００２０】
テープ１４をケース１２から引き出した状態で固定するために、巻尺１０はテープ１４の移動の規制と許容とを切替え可能なロック機構２２を備えている。ロック機構２２は、主に、ケース１２に形成される第２開口１２ｄ、ガイド（案内溝部１２ｅ、案内壁部１２ｆ）、及びレバー２４、レバー２４と連動するストッパ２６により構成される。
【００２１】
詳しくは、第２開口１２ｄは、ケース１２の開口１２ｃの上方において、上下方向に形成された細長い開口であり、テープ１４の外周面に沿って上下方向に円弧状に延びる。
【００２２】
この第２開口１２ｄの両側は、ケース１２の一般外面よりも引き込んだ案内溝部１２ｅとなっており、第２開口１２ｄと同様に、上下に円弧状に延びている。案内溝部１２ｅの底面のケース１２の内側壁部分は案内壁部１２ｆとなっており、同様に、第２開口１２ｄの両側に形成され、テープ１４の外周面に沿った円弧状の形状を有する。
【００２３】
この例では、これらの案内溝部１２ｅ、案内壁部１２ｆ等でガイドが構成されるが、ガイドは他の任意の構成とすることも可能である。
【００２４】
レバー２４は、図６に示すように、円弧状の形状を有する本体と、本体の中央において幅狭になり且つ円弧状の本体の外径方向に突出する首部２４ｃと、首部２４ｃの突出端に設けられて首部２４ｃよりも幅広となった操作部２４ａと、を有する。首部２４ｃはケース１２の第２開口１２ｄを摺動可能に挿通しており、操作部２４ａは案内溝部１２ｅに摺動可能に嵌合するように構成されている。これにより、操作部２４ａがケース１２の外部に露出して、案内溝部１２ｅに案内されてケース１２の上下方向に摺動可能となる。また、レバー２４の首部２４ｃの両側部から突起２４ｂがそれぞれ突出しており、突起２４ｂはケース１２内部において案内壁部１２ｆに常時接触し、テープ１４の外周面の外側輪郭に沿ったレバー２４の摺動を案内する。
【００２５】
レバー２４の下端２４ｄにはストッパ２６が連結される。図７に示すように、レバー２４の下端２４ｄとストッパ２６の基端部２６ａとがヒンジピン２８によって、ヒンジ結合されており、ストッパ２６はレバー２４に対して揺動自在となっている。ストッパ２６の先端部２６ｂは楔型の形状を有しており、先端部２６ｂのテープ１４の外周面との対面側には、磁石３０が嵌め込まれる。ストッパ２６はこの磁石３０の吸着力により、先端部２６ｂが磁性材からなるテープ１４の外周面に係合する。この構成により、ストッパ２６は、常時、巻取られたテープ１４の外周面に接触されるようになっている。
【００２６】
尚、ストッパ２６の先端部２６ｂの材質は特に限定されないが、摩擦力のある材質で構成したり、摩擦力のある材質でコーティングしたりしてもよい。このような構成にして、磁力による吸着力と摩擦力とを合わせた係合力でテープ１４に係合するようにしてもよい。また、磁石３０を先端部２６ｂの内部に埋め込んだ形状としてもよい。
【００２７】
次に、図１ないし図４を参照して第１の実施形態のロック機構２２を含めた巻尺１０の作用について説明する。
【００２８】
図１に示す巻尺１０の状態は、テープ１４が最後まで巻取られてケース１２内に格納された状態を示しており、フック部２０が受部材１３に当接している。
【００２９】
図１に示す状態からフック部２０を持ってテープ１４を引っ張ると、テープ１４は、渦巻バネ１６の弾性エネルギに抗して、ケース１２から繰出される（図２）。このとき、ストッパ２６は、磁力によって巻取られているテープ１４の外周面に接触しているので、テープ１４の移動に追随してテープ１４に誘導されて上方へと移動するが、レバー２４の上方への移動は、案内溝部１２ｅ及び第２開口１２ｄによって規制されるから、規制された後は、テープ１４の外周面はストッパ２６に対して摺動することとなる。このストッパ２６の位置は、テープ１４の移動を許容するストッパ２６の許容位置となる。
【００３０】
所望の長さだけテープ１４を引き出した後、フック部２０から手を離すと、渦巻バネ１６に蓄えられた弾性エネルギによってケース１２内に残って巻取られているテープ１４の外周面が巻取り方向に移動するので、ストッパ２６は、そのテープ１４の移動に追随しテープ１４に誘導されて、巻取られているテープ１４の外周面と該外周面から開口１２ｃに接線方向に延びるテープ１４の直線部分との間に挿入する。これによって、ストッパ２６は、テープ１４の外周面に押圧されて、テープ１４の移動を規制する（図３）。このときレバー２４は、案内溝部１２ｅ及び案内壁部１２ｆに案内されて、テープ１４の外周面の外側輪郭に沿って円弧軌跡上を移動する。こうして、テープ１４は僅かに巻取られた後、自動的に固定されることとなる。このストッパ２６の位置は、テープ１４の移動を規制するストッパ２６の規制位置となる。
【００３１】
尚、テープ１４の繰出し量に応じて、テープ１４の巻取径が変化するが（図３及び図４参照）、その変化に応じて、ストッパ２６がレバー２４に対して揺動することで、常時、ストッパ２６がテープ１４の外周面に対して接触する状態を維持することができる。
【００３２】
また、図４に示すようにテープ１４が最後まで巻解かれた状態においては、ストッパ２６が巻ドラム１８ａとテープ１４の直線部分との間に挿入してテープ１４の移動を規制することとなる。
【００３３】
引き出したテープ１４を再びケース１２内に格納するには、操作部２４ａを案内溝部１２ｅに沿って上方に摺動させると、レバー２４が案内溝部１２ｅ及び案内壁部１２ｆに案内されて、巻取られたテープ１４の外周面の外側輪郭に沿って円弧軌跡上を移動する。これによって、ストッパ２６は前記規制位置から離れて前記許容位置へと移動するために、テープ１４が移動可能となり、テープ１４を渦巻バネ１６の弾性エネルギにより巻ドラム１８ａに巻取ることができる。最後までテープ１４がケース１２内に巻取られると、フック部２０が受部材１３に当接し、図１の状態に戻る。そして、操作部２４ａの操作を停止すると、ストッパ２６は許容位置において、テープ１４の外周面への接触を維持する。
【００３４】
このように、レバー２４はテープ１４の外周面の外側輪郭に沿って円弧軌跡上を移動するだけであるので嵩張ることなく、ケース１２を小型に構成することができる。また、ストッパ２６が磁力によって常時テープ１４の外周面に接触してテープ１４の移動に追随することで、規制位置と許容位置との間を移動するので、ストッパ２６を付勢するための追加的なバネといった部品を不要にすることができ、操作性を向上させ、耐久性も向上させることができる。
【００３５】
ストッパ２６が一体的に連結されたレバー２４をケース１２に挿入することで組み立てられるので、部品点数が少なく、製造が容易で安価にすることができる。
【００３６】
（第２の実施形態）
図８に本発明の第２の実施形態を示す。これに示すものは、第１の実施形態とは異なる構成のレバー２４であり、レバー２４の下端にレバー２４に対して揺動不能にストッパ４０が一体に形成されている。
【００３７】
そして、レバー２４に可撓性を持たせることで、テープ１４の巻取径の変化に対してレバー２４が撓むことで、ストッパ４０がテープ１４の外周面に接触する状態を維持することができる。この場合も、第１の実施形態と同様に、磁力による吸着力によってストッパ４０の常時テープ１４の外周面との係合を図るようにするとよい。
【００３８】
尚、以上の実施形態において、一部品で構成している部材を複数の部品で構成し、または複数の部品で構成している部材を一部品で構成することも可能である。
【符号の説明】
【００３９】
１０  巻尺
１２  ケース
１２ｃ  開口
１２ｅ  案内溝部（ガイド）
１２ｆ  案内壁部（ガイド）
１４  テープ
１６  バネ
２２  ロック機構
２４  レバー
２４ａ  操作部
２６、４０  ストッパ
３０  磁石
【図１】
2013108869.tif 000003
【図２】
2013108869.tif 000004
【図３】
2013108869.tif 000005
【図４】
2013108869.tif 000006
【図５】
2013108869.tif 000007
【図６】
2013108869.tif 000008
【図７】
2013108869.tif 000009
【図８】
2013108869.tif 000010